【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
静電的に帯電したコーティング材料をスプレーするためのスプレーガンであって、
バレルと、前記バレルから縦方向に延在するノズルアセンブリと、電圧増倍器と、前記電圧増倍器を起動状態と停止状態との間で移行するように構成されたアクチュエータアセンブリと、を備える、ガン本体と、
前記ガン本体に結合された照明アセンブリであって、照明と、前記照明に電気的に接続された回路と、前記回路に電気的に接続された少なくとも１つの電池と、を含む、照明アセンブリと、を備え、
前記回路は、前記電圧増倍器が前記起動状態であるときに、前記回路によって誘導的に得られる電気エネルギーを前記照明に供給し、前記電圧増倍器が前記停止状態であるときに、所定の又は調節可能な期間にわたって、前記少なくとも１つの電池から得られる電気エネルギーを前記照明に供給するように構成される、スプレーガン。
【請求項２】
前記少なくとも１つの電池が、充電式であり、前記回路は、前記電圧増倍器が前記起動状態であるときに、前記少なくとも１つの電池を再充電するように構成される、請求項１に記載のスプレーガン。
【請求項３】
前記照明アセンブリによって放射される照明ビームの特性を変更するための制御を更に備える、請求項１又は２に記載のスプレーガン。
【請求項４】
前記特性が、輝度レベル、時間モード、又は色温度である、請求項３に記載のスプレーガン。
【請求項５】
前記制御が、前記ガン本体の前記バレルの後端部に取り付けられたボタン又はスイッチを含む、請求項４に記載のスプレーガン。
【請求項６】
前記特性が、前記輝度レベルであり、前記ボタン又はスイッチの手動作動が、前記照明の前記輝度レベルを増加又は減少させる、請求項５に記載のスプレーガン。
【請求項７】
前記制御が、前記アクチュエータアセンブリを含む、請求項４に記載のスプレーガン。
【請求項８】
前記特性が、前記輝度レベルであり、前記アクチュエータアセンブリは、前記電圧増倍器が前記起動状態であるときに、多数のモードのうちの１つで作動するように構成され、前記多数のモードが、
第１のモードであって、前記アクチュエータアセンブリの第１の作動が、前記電圧増倍器を前記停止状態に移行させるように構成され、前記少なくとも１つの電池が、前記照明を第１の輝度レベルに維持するように構成される、第１のモードと、
第２のモードであって、前記アクチュエータの第２の作動が、前記電圧増倍器を前記停止状態に移行させるように構成され、前記少なくとも１つの電池が、前記照明を第２の輝度レベルに維持するように構成される、第２のモードと、を含み、前記第２の輝度レベルが、前記第１の輝度とは異なる、請求項７に記載のスプレーガン。
【請求項９】
前記アクチュエータアセンブリが、トリガアセンブリであり、前記アクチュエータアセンブリの前記第１の作動が、前記トリガアセンブリの単回引きであり、前記アクチュエータアセンブリの前記第２の作動が、前記トリガアセンブリの２回引きである、請求項８に記載のスプレーガン。
【請求項１０】
前記電圧増倍器が、前記ガン本体内に配置された変圧器を備え、前記変圧器は、前記電圧増倍器が前記起動状態であるときに、磁界を生成する、請求項１から９のいずれか一項に記載のスプレーガン。
【請求項１１】
前記回路が、前記縦方向に対して前記変圧器と半径方向に整列された誘導性構成要素を含む、請求項１０に記載のスプレーガン。
【請求項１２】
ブラケットと、
前記ブラケットを前記ガン本体の前記バレルに固定するための第１のアセンブリと、
前記ブラケットを前記照明アセンブリのハウジングに固定するための第２のアセンブリと、を更に備える、請求項１から１１のいずれか一項に記載のスプレーガン。
【請求項１３】
前記第１のアセンブリが、第１のねじであり、前記第２のアセンブリが、第２のねじである、請求項１２に記載のスプレーガン。
【請求項１４】
前記スプレーガンの前記バレルに対して配置されるように構成された下面と、前記下面に対向する上面と、前記上面から延在する延在部と、を有し、前記延在部が、第１のボアと、第２のボアと、を画定する、半円形基部を画定するスリーブと、
前記第１のボアを通して配置され、かつ前記照明アセンブリのハウジングに係合するように構成された第１のアセンブリと、
前記第２のボアを通して配置され、かつ前記スプレーガンの前記バレルに係合するように構成された第２のアセンブリと、を更に備える、請求項１から１１のいずれか一項に記載のスプレーガン。
【請求項１５】
前記第１のアセンブリが、第１のねじであり、前記第２のアセンブリが、第２のねじである、請求項１４に記載のスプレーガン。
【請求項１６】
前記照明アセンブリが、前記スプレーガンに取り外し可能に結合される、請求項１から１５のいずれか一項に記載のスプレーガン。
【請求項１７】
前記照明アセンブリが、前記スプレーガンの前記バレルと一体化されたハウジングを含む、請求項１から１５のいずれか一項に記載のスプレーガン。
【請求項１８】
前記スプレーガンが、手で保持するスプレーガンであり、前記アクチュエータアセンブリが、前記静電的に帯電したコーティング材料のスプレーを制御するトリガアセンブリである、請求項１から１７のいずれか一項に記載のスプレーガン。
【請求項１９】
前記手で保持するスプレーガンは、粉末コーティング材料のスプレーガンである、請求項１８に記載のスプレーガン。
【請求項２０】
前記照明アセンブリは、第１のスプレーガンモデルに、又は前記第１のスプレーガンモデルとは異なる第２のスプレーガンモデルに接続することができる、請求項１から１９のいずれか一項に記載のスプレーガン。
【請求項２１】
前記照明アセンブリを前記第１のスプレーガンモデル又は前記第２のスプレーガンモデルに取り付けるためのアダプタを更に備える、請求項２０に記載のスプレーガン。
【請求項２２】
前記回路が、前記電圧増倍器によって生成された磁界の存在を感知するように構成され、よって、前記回路は、前記回路によって前記磁界が検出されていないときに、前記少なくとも１つの電池から前記照明に電力を提供する、請求項１から２１のいずれか一項に記載のスプレーガン。
【請求項２３】
前記回路は、前記電圧増倍器によって生成される磁界が前記回路によって検出されたときに、前記磁界から誘導的に得られる電気エネルギーを前記照明に供給するように構成される、請求項１から２２のいずれか一項に記載のスプレーガン。
【請求項２４】
前記照明アセンブリが、ハウジングと、前記ハウジングに取り外し可能に取り付けられたレンズカバーと、を含み、前記レンズカバーは、異なるレンズカバーと交換して、前記照明アセンブリから放射される照明ビームの色を調節することができる、請求項１から２３のいずれか一項に記載のスプレーガン。
【請求項２５】
前記照明を異なる照明と交換して、前記照明アセンブリから放射される照明ビームの色を調節することができるように、前記照明が、前記照明アセンブリに取り外し可能に取り付けられる、請求項１から２４のいずれか一項に記載のスプレーガン。
【請求項２６】
前記照明アセンブリが、ハウジングと、前記ハウジングに取り外し可能に取り付けられたレンズと、を含み、前記レンズは、異なるレンズと交換して、前記照明アセンブリから放射される照明ビームの焦点を変更することができる、請求項１から２５のいずれか一項に記載のスプレーガン。
【請求項２７】
静電的に帯電したコーティング材料をスプレーするためのスプレーガンに結合するように構成された照明アセンブリであって、前記スプレーガンは、電圧増倍器が磁界を生成した起動状態と、前記電圧増倍器が前記磁界を生成しない停止状態との間で移行可能な前記電圧増倍器を含み、前記照明アセンブリが、
ハウジングと、
前記ハウジングに取り付けられた照明と、
前記照明に電気的に接続され、前記ハウジング内に収容された回路と、
前記回路に電気的に接続され、前記ハウジング内に収容された少なくとも１つの電池と、を備え、
前記回路が、前記電圧増倍器が起動状態であるときに前記回路によって誘導的に得られる電気エネルギーを前記照明に供給し、前記電圧増倍器が停止状態であるときに所定の又は調節可能な期間にわたって、前記少なくとも１つの電池から得られる電気エネルギーを前記照明に供給するように構成される、照明アセンブリ。
【請求項２８】
前記回路が、前記スプレーガンの前記電圧増倍器によって生成された前記磁界の存在を感知するように構成され、よって、前記回路は、前記磁界が前記回路によって検出されていないときに、前記少なくとも１つの電池から前記照明に電力を提供する、請求項２７に記載の照明アセンブリ。
【請求項２９】
前記回路は、前記磁界が前記回路によって検出されたときに、前記スプレーガンの前記電圧増倍器によって生成される磁界から誘導的に得られる電気エネルギーを前記照明に供給するように構成される、請求項２８に記載の照明アセンブリ。
【請求項３０】
前記ハウジングに取り外し可能に取り付けられたレンズカバーを更に備え、前記レンズカバーは、異なるレンズカバーと交換して、前記照明アセンブリから放射される前記照明の色を調節することができる、請求項２７から２９のいずれか一項に記載の照明アセンブリ。
【請求項３１】
前記ハウジングに取り外し可能に取り付けられたレンズを更に備え、前記レンズは、異なるレンズと交換して、前記照明アセンブリから放射される前記照明の焦点を変更することができる、請求項２７から３０のいずれか一項に記載の照明アセンブリ。
【請求項３２】
前記回路が、共振周波数を有し、前記回路は、第１のスプレーガンが第１の共振周波数を有し、第２のスプレーガンが第２の共振周波数を有するときに、前記回路の前記共振周波数が、前記スプレーガンの前記電圧増倍器の共振周波数と一致して、前記第１及び第２のスプレーガン上の前記照明アセンブリの使用を可能にするように調整されるように構成され、前記第１及び第２の共振周波数が異なる、請求項２７から３１のいずれか一項に記載の照明アセンブリ。
【請求項３３】
前記回路が、第１のインダクタと、第１のコンデンサと、を含み、前記第１のインダクタが、第２のインダクタと交換されるように構成され、前記第１のコンデンサは、第２のコンデンサと交換して、前記第１又は第２のスプレーガンの前記電圧増倍器の共振周波数と一致するように前記回路の共振周波数を調整する、請求項３２に記載の照明アセンブリ。
【請求項３４】
前記照明アセンブリが、前記スプレーガンに取り外し可能に結合される、請求項２７から３３のいずれか一項に記載の照明アセンブリ。
【請求項３５】
静電的に帯電したコーティング材料をスプレーするためのスプレーガンであって、
バレルと、前記バレルから縦方向に延在するノズルアセンブリと、電圧増倍器と、前記電圧増倍器を起動状態と停止状態との間で移行するように構成されたアクチュエータアセンブリと、を備える、ガン本体と、
前記ガン本体に結合された照明アセンブリであって、ハウジングと、照明と、前記照明に電気的に接続された回路と、前記回路に電気的に接続された少なくとも１つの電池と、前記照明アセンブリから放射される照明ビームの特性を変更するために、前記ハウジングに取り外し可能に取り付けられたレンズカバーと、を含む、照明アセンブリと、を備え、
前記回路は、前記電圧増倍器が前記起動状態であるときに、前記回路によって誘導的に得られる電気エネルギーを前記照明に供給し、前記電圧増倍器が前記停止状態であるときに、所定の又は調節可能な期間にわたって、前記少なくとも１つの電池から得られる電気エネルギーを前記照明に供給するように構成される、スプレーガン。
【請求項３６】
前記レンズカバーは、異なるレンズカバーと交換して、前記照明アセンブリから放射される前記照明ビームの色を変更することができる、請求項３５に記載のスプレーガン。
【請求項３７】
前記レンズは、異なるレンズと交換して、前記照明ビームの焦点を変更することができる、請求項３５又は３６に記載のスプレーガン。
【請求項３８】
前記照明アセンブリが、ハウジングと、前記ハウジングに取り外し可能に取り付けられたレンズと、を含み、
前記レンズにより、前記照明アセンブリによって放射される照明ビームが第１のビーム幅を有するようになり、前記レンズは、異なるレンズと交換可能であり、前記異なるレンズにより、前記照明アセンブリによって放射される前記照明ビームが前記第１のビーム幅とは異なる第２のビーム幅を有するようになる、請求項１から２６のいずれか一項に記載のスプレーガン。
【請求項３９】
静電的に帯電させたコーティング材料をスプレーするための、手で保持するスプレーガンであって、
バレルと、前記バレルから縦方向に延在するノズルアセンブリと、電圧増倍器と、前記スプレーガンからの前記静電的に帯電したコーティング材料の前記スプレーを制御するためのトリガアセンブリと、を備える、ガン本体と、
前記ガン本体に結合された照明アセンブリであって、照明と、前記照明に電気的に接続された回路と、を含む、照明アセンブリと、
を備え、
前記トリガアセンブリの１つの作動が、前記照明アセンブリに、第１の輝度レベルの照明ビームを放射させ、所定の期間内の前記トリガアセンブリの２つ以上の作動が、前記照明アセンブリに、前記第１の輝度レベルと異なる第２の輝度レベルの照明ビームを放射させる、スプレーガン。
【請求項４０】
前記電気的に帯電したコーティング材料が、電気的に帯電した粉末コーティング材料である、請求項３９に記載のスプレーガン。
【請求項４１】
前記トリガアセンブリが、前記照明アセンブリによって放射される前記照明の特性を変更するための前記スプレーガン上の制御部材を備える、請求項３９又は４０に記載のスプレーガン。
【請求項４２】
前記スプレーガンが、前記照明アセンブリによって放射される前記照明の特性に関するパラメータを選択するための第１の制御と、前記選択されたパラメータの値を変更するための第２の制御と、を含む、請求項３９から４１のいずれか一項に記載のスプレーガン。
【請求項４３】
静電的に帯電したコーティング材料をスプレーするための、手で保持するスプレーガンであって、
バレルと、前記バレルから縦方向に延在するノズルアセンブリと、電圧増倍器と、前記スプレーガンからの前記コーティング材料のスプレーを制御するためのトリガアセンブリと、を備える、ガン本体と、
前記ガン本体に結合された照明アセンブリであって、前記照明アセンブリが、照明と、前記照明に電気的に接続された回路と、を含み、前記照明アセンブリが、ハウジングに収容される、照明アセンブリと、を備え、
前記ハウジングの壁を通過するいかなる電気コネクタも存在せず、
前記トリガアセンブリの１つの作動が、前記照明アセンブリに、第１の輝度レベルの照明ビームを放射させ、所定の期間内の前記トリガアセンブリの２つ以上の作動が、前記照明アセンブリに、前記第１の輝度レベルと異なる第２の輝度レベルの照明ビームを放射させる、スプレーガン。
【請求項４４】
前記回路は、前記電圧増倍器が起動状態であるときに、前記電圧増倍器から前記回路によって誘導的に得られる電気エネルギーを前記照明に供給するように構成される、請求項４３に記載のスプレーガン。
【請求項４５】
前記照明アセンブリは、ハウジング内に収容されており、
前記ハウジングの壁を通過するいかなる電気コネクタも存在しない、請求項１から２６のいずれか一項に記載のスプレーガン。
【請求項４６】
前記照明は、前記照明アセンブリに取り外し可能に取り付けられ、前記照明は、異なる照明と交換して、前記照明アセンブリから放射される照明ビームの色を調節することができる、請求項２７から３４のいずれか一項に記載の照明アセンブリ。
【請求項４７】
前記ハウジングに取り外し可能に取り付けられたレンズを更に含み、
前記レンズは、異なるレンズと交換して、前記照明アセンブリから放射される前記照明のビーム幅を変更することができる、請求項２７から３４のいずれか一項又は請求項４６に記載の照明アセンブリ。
【請求項４８】
静電的に帯電したコーティング材料をスプレーするためのスプレーガンであって、
バレルと、前記バレルから縦方向に延在するノズルアセンブリと、変圧器を備える電圧増倍器と、前記電圧増倍器を起動状態と停止状態との間で移行するように構成されたアクチュエータアセンブリと、を備え、前記電圧増倍器が前記起動状態であるときに前記変圧器が磁場を生成する、ガン本体と、
前記ガン本体に結合された照明アセンブリであって、照明と、前記照明に電気的に接続された回路と、を含む、照明アセンブリと、を備え、
前記回路は、前記電圧増倍器が前記起動状態であるときに、前記回路によって誘導的に得られる電気エネルギーを前記照明に供給するように構成される、スプレーガン。
【請求項４９】
前記回路が、前記縦方向に対して前記変圧器と半径方向に整列された誘導性構成要素を含む、請求項４８に記載のスプレーガン。
【請求項５０】
静電的に帯電したコーティング材料をスプレーするためのスプレーガンに結合するように構成された照明アセンブリであって、前記スプレーガンは、電圧増倍器が磁界を生成した起動状態と、前記電圧増倍器が前記磁界を生成しない停止状態との間で移行可能な前記電圧増倍器を含み、前記照明アセンブリが、
ハウジングと、
前記ハウジングに取り付けられた照明と、
前記ハウジング内に収容され、共振周波数を有する回路と、を備え、
前記回路は、前記回路によって誘導的に得られる電気エネルギーを前記照明に供給するように構成され、
前記回路は、第１のスプレーガンが第１の共振周波数を有し、第２のスプレーガンが第２の共振周波数を有するときに、前記回路の前記共振周波数が、前記スプレーガンの前記電圧増倍器の共振周波数と一致して、前記第１及び第２のスプレーガン上の前記照明アセンブリの使用を可能にするように調整されるように構成され、前記第１及び第２の共振周波数が異なる、照明アセンブリ。
【請求項５１】
前記回路が、第１のインダクタと、第１のコンデンサと、を含み、前記第１のインダクタが、第２のインダクタと交換されるように構成され、前記第１のコンデンサは、第２のコンデンサと交換して、前記第１又は第２のスプレーガンの前記電圧増倍器の共振周波数と一致するように前記回路の共振周波数を調整する、請求項５０に記載の照明アセンブリ。
【請求項５２】
静電的に帯電した粉末をスプレーするための粉末コーティング材料スプレーガンであって、
バレルと、前記バレルから縦方向に延在するノズルアセンブリと、変圧器を備える電圧増倍器と、前記静電的に帯電した粉末をスプレーすることを制御するように構成されたトリガと、を備え、前記静電的に帯電された粉末がスプレーされているときに前記変圧器が磁界を生成する、ガン本体と、
前記ガン本体に結合された照明アセンブリであって、照明と、前記照明に電気的に接続された回路と、を含む、照明アセンブリと、を備え、
前記回路は、前記静電的に帯電された粉末がスプレーされているときに、前記回路によって誘導的に得られる電気エネルギーを前記照明に供給するように構成される、スプレーガン。
【請求項５３】
静電的に帯電させたコーティング材料をスプレーするための、手で保持するスプレーガンであって、
バレルと、前記バレルから縦方向に延在するノズルアセンブリと、前記スプレーガンからの前記静電的に帯電したコーティング材料の前記スプレーを制御するためのトリガアセンブリと、を備える、ガン本体と、
前記ガン本体に結合された照明アセンブリであって、照明と、前記照明に電気的に接続された回路と、を含む、照明アセンブリと、
を備え、
前記照明アセンブリは、１）前記照明アセンブリが第１の色を有する照明ビームを放射する第１の構成と、２）前記照明アセンブリが前記第１の色と異なる第２の色を有する照明ビームを放射する第２の構成との間で選択的に変更されるように構成される、スプレーガン。
【請求項５４】
前記照明アセンブリは、レンズハウジングと、前記レンズハウジングに取り外し可能に取り付けられるように構成されたレンズと、を含み、前記レンズは、異なるレンズと交換して、前記照明アセンブリから放射される照明の色を調節することができる、請求項５３に記載のスプレーガン。
【請求項５５】
前記レンズハウジングに取り外し可能に取り付けられるように構成された前記異なるレンズを備え、前記異なるレンズは、前記照明アセンブリから放射される照明に前記レンズとは異なる色を具現化させる、請求項５４に記載のスプレーガン。
【請求項５６】
前記照明アセンブリは、レンズハウジングと、前記レンズハウジングに取り外し可能に取り付けられるように構成されたレンズカバーと、を含み、前記レンズカバーは、異なるレンズカバーと交換して、前記照明アセンブリから放射される照明の色を調節することができる、請求項５３に記載のスプレーガン。
【請求項５７】
前記レンズハウジングに取り外し可能に取り付けられるように構成された前記異なるレンズカバーを備え、前記異なるレンズカバーは、前記照明アセンブリから放射される照明に前記レンズカバーとは異なる色を具現化させる、請求項５６に記載のスプレーガン。
【請求項５８】
前記照明アセンブリは、前記照明と、異なる照明とを切り替えて前記照明アセンブリから放射される照明の色を調節するように構成される、請求項５３に記載のスプレーガン。
【請求項５９】
前記照明アセンブリから放射される照明に前記第１の色と異なる前記第２の色を具現化させる異なる照明を備える、請求項５３に記載のスプレーガン。
【請求項６０】
レンズカバーと、
前記レンズカバーに取り外し可能に取り付けられるように構成されたキャップと、を備え、
前記キャップは、異なるキャップと交換して、前記照明アセンブリから放射される照明の色を調節することができる、請求項５３に記載のスプレーガン。
【請求項６１】
前記照明アセンブリから放射される照明に前記第１の色とことなる前記第２の色を具現化させるように、前記レンズカバーに結合されるように構成された前記異なるキャップを備える、請求項６０に記載のスプレーガン。
【請求項６２】
前記照明アセンブリは、緑色の照明を放射するように構成されている請求項５３から６１のいずれか一項に記載のスプレーガン。
【請求項６３】
前記照明アセンブリは、赤色の照明を放射するように構成されている請求項５３から６１のいずれか一項に記載のスプレーガン。
【請求項６４】
前記回路は、前記照明の色温度を調節するように構成された色温度制御回路を含む、請求項５３から６３のいずれか一項に記載のスプレーガン。
【請求項６５】
電圧増倍器を更に備える、請求項５３から６４のいずれか一項に記載のスプレーガン。
【請求項６６】
前記電圧増倍器は、前記電圧増倍器が磁界を生成した起動状態と、前記電圧増倍器が前記磁界を生成しない停止状態との間で移行可能である、請求項６５に記載のスプレーガン。
【請求項６７】
前記回路は、前記電圧増倍器が起動状態であるときに、前記回路によって誘導的に得られる電気エネルギーを前記照明に供給する、請求項６５に記載のスプレーガン。
【請求項６８】
請求項５３から６７のいずれか一項に記載の手で保持するスプレーガンを操作する方法であって、
１）照明アセンブリが第１の色を有する照明ビームを放射する第１の構成と、２）前記照明アセンブリが前記第１の色と異なる第２の色を有する照明ビームを放射する第２の構成とを変更する工程を備える、方法。
【請求項６９】
前記変更する工程は、存在する周囲光源、使用されているコーティング材料のタイプ、及び前記コーティング材料が塗布されている被加工物のタイプのうちの、一つ又は二つ以上に基づいて、前記第２の構成を選択することを含む、請求項６８に記載の方法。